(57)【特許請求の範囲】
【請求項１】
壜容器(26)の口筒(27)に密嵌装して注出口を形成する本体部(3) に、前記注出口を開閉する有頂筒状の外キャップ部(16)を着脱自在に螺合させるキャップ本体(2) と、前記外キャップ部(16)の筒壁(17)の下端に破断片(22)を介して一体連設され、前記口筒(27)に外嵌する前記本体部(3) の外筒(4) に外嵌する締め付き筒(20)を有する組付き補助体(19)とから成り、前記外筒(4) に複数の割溝(5) を設け、前記締め付き筒(20)の一部に切欠き(24)により摘み片(23)を形成すると共に、該摘み片(23)に連続して破断し易い破断線(25)を、前記締め付き筒(20)を縦断する構成で形成し、前記外筒(4) の内周面下端部に設けた係止突片(6) が、前記口筒(27)の係止周条(28)を乗り越えて下方から係止する、前記外筒(4) の口筒(27)への外嵌組付き状態で、拡径変形した前記外筒(4) が、前記締め付き筒(20)に圧接すると共に、下端縁を前記締め付き筒(20)の内周面下端部に設けた係止突条(21)に上方から係止させる合成樹脂製注出キャップ。
【請求項２】
摘み片(23)を締め付き筒(20)の上端部に形成すると共に、破断線(25)を傾斜姿勢とした請求項１記載の合成樹脂製注出キャップ。
【発明の詳細な説明】
【０００１】
【発明の属する技術分野】
本発明は、壜容器の口筒に組付いて注出口を形成し、内容液を消費し尽くした後の廃棄時に、分別回収が有利であるように、壜容器から分離し易いように構成した不正開封防止機能付き合成樹脂製注出キャップに関するものである。
【０００２】
【従来の技術】
合成樹脂製品、特に合成樹脂製壜容器の再利用を効率良く実施できるようにするために、廃棄される合成樹脂製品を分別回収することが奨励されており、その一つとして、最も多量に消費されている壜容器の口筒に組付けられている注出口を形成する注出キャップを、壜容器廃棄時に、壜容器から簡単に分離できるようにした技術が特開平８−５８８２４号公報に開示されている。
【０００３】
この従来技術は、壜容器の口筒に密に組付けられて注出口を形成する注出キャップ本体に、破断し易い肉薄部を介して、壜容器の口筒に離脱不能に嵌着する把持筒を一体設し、壜容器廃棄時に、把持筒から外方に突出した姿勢で一体設した取外用つまみに指先を引っ掛けて引っ張ることにより、把持筒を注出キャップ本体から破断分離して、注出キャップ本体の壜容器に対する組付き力を低下させ、これにより壜容器と注出キャップとの分別回収を行い易くしている。
【０００４】
【発明が解決しようとする課題】
しかしながら、上記した従来技術にあっては、把持筒に一体設された取外用つまみが外方に突出したものとなっているので、壜容器に取付ける前の注出キャップの取扱い時、および注出キャップを組付けた壜容器の取扱い時に、この突出した取外用つまみが、他の注出キャップの取外用つまみおよび他の物品に引っ掛かり易く、このため取扱いに不便が生じるばかりでなく、時として把持筒の不正破断が発生して、使用中の壜容器に対する注出キャップの密な組付きが劣化すると云う問題があった。
【０００５】
また、把持筒は、単に注出キャップ本体に一体設るのではなく、破断し易い状態で一体設されると共に、取外用つまみを操作し易い状態で一体設し、かつこの取外用つまみの操作により容易に破断する部分を一体設する必要があるので、その構造がどうしても複雑となると云う問題があった。
【０００６】
さらに、把持筒は、分別回収のために専用に設けた部分であるので、壜容器の分別回収を行うまでは全く有益な機能を発揮することがなく、このため消費者にとっては、邪魔になることはあっても、安全性および使用上の利益を得ることができず、好ましい商品イメージを得ることができないと云う問題があった。
【０００７】
そこで、本発明は、上記した従来技術における問題点を解消すべく創案されたもので、合成樹脂製注出キャップに設けられた不正開封防止機能部の一部を、分別回収のために有効に機能させるようにすることを技術的課題とし、もって安全で良好な取扱いを得ることができると共に、簡単な構造で有効な機能を得ることを目的とする。
【０００８】
【課題を解決するための手段】
上記技術的課題を解決する本発明の内、請求項１記載の発明の手段は、
壜容器の口筒に密嵌装して注出口を形成する本体部に、注出口を開閉する有頂筒状の外キャップ部を着脱自在に螺合させるキャップ本体と、外キャップ部の筒壁の下端に破断片を介して一体連設され、壜容器の口筒に外嵌する本体部の外筒に外嵌する締め付き筒を有する組付き補助体とから構成されること、
キャップ本体の本体部の外筒に複数の割溝を設けること、
組付き補助体の締め付き筒の一部に切欠きにより摘み片を形成すること、
この摘み片に連続して破断し易い破断線を、締め付き筒を縦断する構成で形成すること、
キャップ本体の外筒の内周面下端部に設けた係止突片が、壜容器の口筒の係止周条を乗り越えて下方から係止する、外筒の口筒への外嵌組付き状態で、拡径変形した外筒が、組付き補助体の締め付き筒に圧接すると共に、下端縁を締め付き筒の内周面下端部に設けた係止突条に上方から係止させること、
にある。
【０００９】
注出キャップを壜容器に組付けた状態では、キャップ本体側では、本体部の注出口を、この本体部に螺合した外キャップ部が密封し、また組付き補助体の締め付き筒は、拡径変形して圧接している本体部の外筒の下端縁が、内周面下端部に設けた係止突条に上方から係止しているので、本体部の外筒から上方に抜け出し不能な状態となっている。
【００１０】
このため、外キャップ部の本体部に対する最初の螺脱操作時には、外キャップ部の螺脱回動による上昇変位に対して、組付き補助体の締め付き筒が一緒に上昇変位しないので、破断片が破断することになるが、それゆえこの破断片の破断の有無により既に開放されたものであるか否かを正確に判断することができ、不正開封防止機能を発揮することになる。
【００１１】
また、組付き補助体の締め付き筒がキャップ本体の外筒に外嵌している状態では、この締め付き筒が外筒を外方から締め付けた状態となっているので、外筒は拡径変形することができず、これにより外筒に設けた係止突片の壜容器に設けた係止周条に対する係止が強固に確保され、キャップ本体の壜容器に対する組付きが強固に安定して維持される。
【００１２】
内容液を使用し尽くした後の分別回収に際しては、組付き補助体の締め付き筒に切欠き形成された摘み片を引き起こして、そのまま引っ張ることにより、この摘み片に連続して形成された破断線に沿って締め付き筒の周壁を左右に分断し、この分断により締め付き筒を外筒から離脱させ、次いでキャップ本体を壜容器から取外して、壜容器と注出キャップとの分別を達成する。
【００１３】
この際、キャップ本体の壜容器からの取外しは、キャップ本体の外筒が複数の割溝により弾性変形し易い構造となっていると共に、組付き補助体の締め付き筒が離脱して拡径方向に弾性変形できる状態となっているので、簡単に達成することができる。
【００１４】
請求項２記載の発明は、請求項１記載の発明に、組付き補助体の摘み片を締め付き筒の上端部に形成すると共に、破断線を傾斜姿勢とした、構造限定を加えたものである。
【００１５】
請求項２記載の発明にあっては、組付き補助体の筒体構造をした締め付き筒に切欠きを成形することにより、この締め付き筒表面から突出することなく形成される摘み片を、締め付き筒の上端部に形成したので、指先の引っ掛けによる摘み片の引き起しが行い易くなる。
【００１６】
また、この摘み片に連続した破断線は、その姿勢が上下方向に対して傾斜しているので、摘み片の引っ張りの進行に従って、摘み片に近い部分から順に破断されて行くことになり、これにより破断線の破断に大きな引っ張り力を要することがなく、また同じ引っ張り操作により、破断線の破断と一緒に締め付き筒の分離を達成することができる。
【００１７】
【発明の実施の形態】
以下、本発明の一実施例を図面を参照しながら説明する。
注出キャップ１は、ポリプロピレン樹脂もしくは低密度ポリエチレン樹脂製のキャップ本体２と組付き補助体１９とから構成され、キャップ本体２は、本体部３と外キャップ部１６とから構成されている。
【００１８】
本体部３は、壜容器２６の口筒２７の開口部にアンダーカット結合して外嵌する外筒４の内側に、口筒２７の開口部に密嵌入する内筒９を、頂壁７を介して垂下状に連設し、この内筒９を上方に延長した形態で、外周面に螺条を刻設した螺筒８を形成し、この螺筒８の上端縁から内鍔状のフランジ１０を介して、上端部をラッパ状に拡径した注出筒１１を連設し、螺筒８内に位置している注出筒１１の下端開口部を閉鎖する形態で一体設した封止壁１２に、閉ループ状の肉薄な破断溝１３により切除壁部１４を区画形成し、この切除壁部１４の上面端部にプルリング１５を起立連設した構成となっており、外筒４には、複数の割溝５が等間隔に設けられていると共に、内周面下端部に、口筒２７の外周面に設けた係止周条２８にアンダーカット結合する係止突片６が設けられている。
【００１９】
外キャップ部１６は、本体部３の螺筒８に着脱自在に外装螺合する筒壁１７を有する有頂円筒形状をしていて、その頂壁下面に、螺着状態で本体部３の注出筒１１内に密嵌入して、この注出筒１１を密閉する栓筒片１８を垂下設した構成となっている。
【００２０】
組付き補助体１９は、外キャップ部１６の筒壁１７下端縁に、肉薄な破断し易い複数の破断片２２を介して、キャップ本体２の外筒４に緩く外嵌する締め付き筒２０を連設し、この締め付き筒２０の内周面下端部に、拡径変形した外筒４の下端縁が上方から係止する係止突条２１を条設すると共に、締め付き筒２０の上端部に、切欠き２４を成形することにより摘み片２３を形成し、この摘み片２３の基端に連続して締め付き筒２０を斜めに縦断する構成で、破断し易い肉薄な破断線２５を形成した構成となっている。
【００２１】
このように、破断片２２を介して外キャップ部１６に一体設された組付き補助体１９の締め付き筒２０は、キャップ本体２の外筒４に緩く外嵌する径寸法に設定されているので、破断片２２を介して組付き補助体１９を一体連結した状態のまま外キャップ部１６を本体部３に螺合組付け、すなわち外キャップ部１６の筒壁１７を本体部３の螺筒８に螺着させて、組付き補助体１９の締め付き筒２０を外筒４に外嵌組付けする際に、外筒４と締め付き筒２０との間に、破断片２２が破断されるような大きな摩擦抵抗力が発生することはなく、キャップ本体２に対する組付き補助体１９の組付けは無理なく安全に達成される。
【００２２】
注出キャップ１は、キャップ本体２に組付き補助体１９を組付けた状態で、壜容器２６の口筒２７に打栓状に組付けられる。
【００２３】
注出キャップ１を壜容器２６の口筒２７に打栓すると、キャップ本体２の係止突片６と壜容器２６の係止周条２８との係止により、壜容器２６に対して注出キャップ１がアンダーカット結合するが、この際、壜容器２６の係止周条２８と注出キャップ１の外筒４との径寸法関係、または壜容器２６の口筒２８と注出キャップ１の係止突片６との径寸法関係（図示実施例では、係止周条２８の外径寸法が外筒４の内径寸法よりも大きい）から、外筒４が拡径変形して締め付き筒２０に圧接する。
【００２４】
このため、拡径変形した外筒４は、その外側の下端縁を締め付き筒２０の係止突条２１に上方から係止させると共に、それ以上の拡径変形が阻止されるため、外筒４に対して締め付き筒２０が上方に抜け出し不能となると共に、外筒４の口筒２７に対する強力な係止が確保される。
【００２５】
なお、拡径変形した外筒４の締め付き筒２０に対する圧接程度は、外筒４の更なる拡径変形が発生しない、または発生し難い程度であれば良く、破断線２５を破断するほどに強くしてはならないことは云うまでもない。
【００２６】
【発明の効果】
本発明は、上記した構成となっているので、以下に示す効果を奏する。
組付き補助体の締め付き筒は、単純な円筒形状を基本構造としたものであり、摘み片は、この締め付き筒の一部に切欠きを形成することにより成形されるものであるので、摘み片が他の物品に引っ掛かる恐れが殆どなく、もって良好な取扱いを得ることができると共に、摘み片に対する不要な引っ掛かりにより、破断線が不正に破断されて、組付き補助体の機能が喪失すると云う不都合の発生を防止して、高い安全性を得ることができる。
【００２７】
組付き補助体は、壜容器に直接組付くのではなく、キャップ本体の壜容器に対する組付きに伴う変形により、キャップ本体に対する組付きが達成されるので、キャップ本体および壜容器に対する組付けを、安全にかつ簡単に達成することができる。
【００２８】
組付き補助体は、不正開封防止機能部の主要部分を構成するので、壜容器を最初に開封するまでの安全性を確保するのに有効に機能し、また開封後に、壜容器に対するキャップ本体の強固で安定した組付きを達成維持するので、壜容器の分別回収達成までの長い期間にわたって、きわめて有効で有益な機能を発揮することになる。
【００２９】
請求項２記載の発明にあっては、摘み片を引っ張っての破断線の破断処理が容易にかつ良好な形態で達成できるので、分別回収処理を簡単にかつ円滑に達成することができる。
【図面の簡単な説明】
【図１】本発明の一実施例を示す、壜容器に組付けた状態の全体斜視図。
【図２】図１に示した実施例の、壜容器組付き前の縦断半面図。
【図３】図１に示した実施例の、壜容器組付き状態での縦断半面図。
【符号の説明】
１  ；  注出キャップ
２  ；  キャップ本体
３  ；  本体部
４  ；  外筒
５  ；  割溝
６  ；  係止突片
７  ；  頂壁
８  ；  螺筒
９  ；  内筒
１０；  フランジ
１１；  注出筒
１２；  封止壁
１３；  破断溝
１４；  切除壁部
１５；  プルリング
１６；  外キャップ部
１７；  筒壁
１８；  栓筒片
１９；  組付き補助体
２０；  締め付き筒
２１；  係止突条
２２；  破断片
２３；  摘み片
２４；  切欠き
２５；  破断線
２６；  壜容器
２７；  口筒
２８；  係止周条
【図１】
0003874137.tif 000002
【図２】
0003874137.tif 000003
【図３】
0003874137.tif 000004